(57)【要約】      （修正有）【課題】アクセサリーとしての要素を取り入れたアクセサリータイプコードレスイヤホンを提供する。【解決手段】アクセサリータイプコードレスイヤホンは、ネックレス・マイク・本体・イヤホンからなる一体型で、装飾性を有する設計がなされている。一般的なペンダント型の外観を呈し、イヤホンを使用しないときにはペンダント部の後部に隠すことができる。ケーブルはネックレス内部に内蔵しており、マイクとイヤホンの距離は人間の耳から口元までの距離に近くなるように設計されている。コードレスイヤホンはアクセサリーとしての機能も有しており、使用者は自然に首にかけることができる。また紛失しにくく、便利で収納しやすいため、コードレスイヤホンの付加価値と競争力を高めることができる。【選択図】図６
0003130901.tif 000002
【実用新案登録請求の範囲】
【請求項１】
ネックレス部と、
該ネックレス部に結合し、ユーザの音声信号の出力に使用されるマイクと
該ネックレス部に結合し、無線信号の送受信を行うために使用され、アクセサリー部、イヤホン部が含まれ、該アクセサリー部には第一表面と第二表面があり、該イヤホン部が該第二表面の外側に延伸する本体と、
該本体に結合し、該イヤホン部の内部に配置されているイヤホン部と
該ネックレス部の内部に配置され、その両端が該本体及び該マイクにそれぞれ電気的に接合されているケーブルを含む、ワイヤレスイヤホンにアクセサリーの要素を付加したアクセサリータイプワイヤレスイヤホンにおいて、該マイクと該イヤホンの距離が人の口から耳までの距離に近く、該イヤホン部が該第一表面の裏側に隠されていることを特徴とするアクセサリータイプワイヤレスイヤホン。
【請求項２】
該ネックレス部に第一端と第二端があり、該ネックレスの第一端、第二端がそれぞれ第一結合部品及び第二結合部品と結合することを特徴とする請求項１記載のアクセサリータイプワイヤレスイヤホン。
【請求項３】
該第二表面が第三結合部品を有し、該第三結合部品が該ネックレス部を固定し結合することを特徴とする請求項２記載のアクセサリータイプワイヤレスイヤホン。
【請求項４】
該マイクが該第一結合部品もしくは該第二結合部品のいずれかに結合することを特徴とする請求項３記載のアクセサリータイプワイヤレスイヤホン。
【請求項５】
該第一結合部品が雄ネジ山を有し、該第二結合部品が可動式のスリーブを有し、該スリーブの内側に該第一結合部品の雄ネジ山に対応する雌ネジ山を有することを特徴とする請求項４に記載のアクセサリータイプワイヤレスイヤホン。
【請求項６】
該第一、第二結合部品がそれぞれ第一、第二リングを有し、該第二リングが、弾性があり留まった状態を回復可能な可動フックを有することを特徴とする請求項５に記載のアクセサリータイプワイヤレスイヤホン。
【請求項７】
該本体の第一表面が宝石素材により形成されていることを特徴とする請求項１から６のいずれかに記載のアクセサリータイプワイヤレスイヤホン。
【請求項８】
該ワイヤレスイヤホンがブルートゥースイヤホンであることを特徴とする請求項７記載のアクセサリータイプワイヤレスイヤホン。
【請求項９】
該本体がイヤホンの音量調整ボタンと電源ボタンを有することを特徴とする請求項８記載のアクセサリータイプワイヤレスイヤホン。
【請求項１０】
該本体がインジケータランプを有することを特徴とする請求項９記載のアクセサリータイプワイヤレスイヤホン。
【考案の詳細な説明】
【技術分野】
【０００１】
本考案はコードレスイヤホン、特にインナーイヤー式及びネックチェーン式のブルートゥースイヤホンに関するものである。
【背景技術】
【０００２】
現在のブルートゥースイヤホンは大きく耳掛け式・インナーイヤー式・耳掛け型インナーイヤー式・ネックチェーン式の四つのタイプに分類することができる。それぞれのブルートゥースイヤホンには、消費電力・価格・携帯性・着用感・機能未使用時の収納性・収納性・メガネ着用への影響など、それぞれにメリット・デメリットが存在する。使用者は通常それらの中から自分の必要にあったものを選ぶことになる。
【０００３】
現在のブルートゥースイヤホンのデザインと機能性は総じて温かみのない科学技術製品で、男性使用者に重きを置いており、女性マーケットを考慮に入れたものとはなっていない。
【０００４】
台湾特許第Ｍ２６８８２７号は、ネックレス式の無線受信機を提示しており、台湾特許公告第５４０９５０号は改良式のコードレスイヤホン、台湾特許公告第
５１６７６２号は首掛式のハンズフリーレシーバを提示している。
【０００５】
上記の台湾特許保有者は、イヤホンと首から掛けるコードあるいはネックレスをはっきりと区別している。また、イヤホンの構造は、明らかに全体として装飾性を有するデザインとはなっていない。
【考案の開示】
【考案が解決しようとする課題】
【０００６】
コードレスイヤホンの使用性・携帯性を向上させ、アクセサリーとしての要素を取り入れた新型を提示する。
【課題を解決するための手段】
【０００７】
本考案の主な目的は、アクセサリータイプコードレスイヤホンを提供し、コードレスイヤホンにアクセサリーとしての要素を付加することである。
【０００８】
本考案の別の目的は、コードレスイヤホンを装着すると、マイクが自然に口元に移動し、マイクとして機能することである。マイクが口元に来ることにより、利便性は向上し、より高い集音効果を得ることもできる。
【０００９】
さらに本考案ではコードレスイヤホンの付加価値と競争力を向上させることもその目的の一つである。
【考案の効果】
【００１０】
本考案のアクセサリータイプコードレスイヤホンは、コードレスイヤホンにアクセサリーとしての要素を有させるものであり、以下のものがそれに含まれる。
a.一ネックレス部。b.一マイク部。ネックレス部に連結されており、ユーザーの音声信号出力に使用される。c.一本体。ネックレス部に連結されており、無線信号の送受信に使用される。本体には、アクセサリー部及びイヤホン部が含まれる。アクセサリー部は第一表面と第二表面を有しており、イヤホン部は第二表面から外側に向かっている。d.一イヤホンスピーカー部。本体に連結しており、イヤホン内部に配置されている。e.一ケーブル。ネックレス内部に配置されており、その両端は本体及びマイク部と電気的に結合されている。
【００１１】
マイクとイヤホンの距離は人の口元から耳までの距離に近くなっている。イヤホンは第一表面の裏側に収納でき、コードレスイヤホンにアクセサリーとしての機能を持たせることができる。使用者は自然に首にかけることができるため、紛失を防ぎ、利便性に優れている。また、収納しやすいため、コードレスイヤホンの付加価値と競争力を向上させる。
【００１２】
本考案のその他の目的、機能については、説明図及び実施例を参照されたい。以下は詳細な説明である。
【考案を実施するための最良の形態】
【００１３】
図１、２、３、４を参照されたい。本考案のアクセサリータイプコードレスイヤホンは、アクセサリーとしての要素を兼ね揃えたコードレスイヤホンである。本考案の第一実施例には以下のものが含まれる。
【００１４】
一ネックレス１は革ひも製で、第一端１１及び第二端１２を備えている。一コネクター２には、第一・第二コネクター２１・２２が含まれる。第一・第二コネクター
２１・２２はそれぞれネックレス１の第一・二端１１・１２に接合する。第一・第二コネクター２１・２２は互いに接合し、使用者の首にかけるためにネックレス１を環状につなげる。一マイク３は、第二コネクター２２に接合されており、使用者の音声信号出力に使用される。一本体４は、ブルートゥース無線信号など無線信号の送受信に使用され、アクセサリー部４１及びイヤホン４２を含む。アクセサリー部４１には第一表面４１１及び第二表面４１２が含まれる。第一表面４１１は宝石素材でできており、宝石ペンダントのような装飾性を有するデザインとなっている。イヤホン部
４２は第二表面４１２から外側に向かって伸びており、イヤホン部４２はアクセサリー部４１の後方に隠すことができ、第一表面４１１の正面からイヤホン部４２は見ることができない。本体４には、さらにコードレスイヤホンの音量をコントロールするボタン４３・４４、電源ボタン４５とインジケーターライト４６が配置されている。インジケーターライト４６は本体４の通電状態を表示する。第二表面４１２は第三コネクター４７を備えており、この第三コネクター４７はネックレス1に固定されている。一イヤホンスピーカー４８は、本体４とつながっており、イヤホン部４２の内側に設置されている。一ケーブル５はネックレス部１の内部に設置され、その両端はそれぞれマイク３及び本体４に電気的に結合されている。マイク３からイヤホン４８までの距離は口元から耳までの距離に近くなっている。
【００１５】
図５、６を参照されたい。本考案の第一実施例のコードレスイヤホンにおいて、ブルートゥースイヤホンはネックレス部1・マイク３・本体４・イヤホン部４８が一体型となった、装飾性を有するデザインとなっている。本体４は一般のペンダントのような外観を呈しており、イヤホン４２は未使用時にはアクセサリー部４１の後方に隠れる。図５が示す通り、ケーブル５はネックレス部１の内部に配置されている。使用者６がコードレスイヤホンを身に着けても、ペンダントやネックレスをつけているように見えるため、温かみのない科学技術製品のブルートゥースイヤホンを身につけていることを感じさせないものとなっている。図６が示す通り、コードレスイヤホンを使用する際にイヤホン４２を耳に差し込むと、マイク３はそれと同時に使用者の口元に移動し、使用者６がイヤホン４８で会話を聴いたり、マイク３を使い音声信号を送出したりするのに便利なようになっている。
【００１６】
図７を参照されたい。本考案のコネクター２の第一・第二コネクター２１・２２の連結構造は一般的な同軸ケーブルのオス・メス端子の接続に似たものとなる。第一コネクター２１は雄ネジ２１１を有し、第二コネクター２２は可動式のスリーブ２２１を有する。スリーブ２２１の内側には、第一コネクター２１の雄ネジ２１１に対応した雌ネジが設置されており、スリーブ２２１の雌ネジと第一コネクター２１の雄ネジ２１１を接合することにより第一・第二コネクター21・22を接合し固定することができる。
【００１７】
図８、９を参照されたい。本考案アクセサリータイプコードレスイヤホンの第二実施例であるが、ネックレス部７・コネクター部８・マイク９・本体４・イヤホン部・ケーブル５などにより構成される。第一実施例と第二実施例とを比較すると、第二実施例のネックレス７がボールチェーンで構成されていること、及び第一・第二コネクター８１・８２が第一実施例の提示するものとは異なることを除き、その他の構造や機能はおおよそ同じである。第一・第二コネクター８１・８２の構造は、一般的なフックの構造とおおよそ同じである。第一・二コネクター８１・８２はそれぞれ第一・第二リング８１１・８２１を備えており、第二リング８２１はばね式可動フック
８２２を備えている。使用者が可動フック８２２の端を押して第二リング８２１に隙間を作り第一リング８１１にはめることにより、第一・第二リング８１１・８２１を連結することができる。
【００１８】
本考案のポイントは上述既存技術のうち、２番目に挙げたインナーイヤー式と４番目に挙げたネックチェーン式ブルートゥースイヤホンを組み合わせることで、携帯性と利便性のメリットを組み合わせ、同時にそのデメリットを改良したことである。一般に、インナーイヤー型のブルートゥースイヤホンは、小型になるとマイクも受信機本体につれて耳に近い位置になり、集音品質に影響する。それで、本考案はイヤホンとマイクとの間に適切な距離の感覚を設けた。使用時、使用者はインナーイヤーイヤホンを耳に差し込むだけでマイクは自然に口元に移動し、マイクとして機能する。マイクが口元に近づくことで、集音効果も上がり利便性も向上する。
【００１９】
本考案はブルートゥースイヤホンの小型化に伴う集音効率の低下を解消し、優れたデザインでコードレスイヤホンにアクセサリー的要素を付加し、女性消費者が受け入れやすいものとした。自然に首にかけることができ、紛失を防ぎ、便利で、収納しやすいため、コードレスイヤホンの付加価値と競争力を向上させる。
【００２０】
以上は、本考案技術内容の実施例についてのみの記載である。本件技術を熟知するものが本考案に対し修飾・変化させた場合についても、本考案の申請範囲に属するものであり、実施例に示す限りではない。  
【図面の簡単な説明】
【００２１】
【図１】本考案第一実施例の立体説明図。
【図２】本考案第一実施例のイヤホンの左側面図。
【図３】本考案第一実施例のイヤホンの右側面図。
【図４】本考案第一実施例のイヤホンの後側面図。
【図５】本考案第一実施例の使用者装着時図。
【図６】本考案第一実施例の使用者使用時の立体説明図。
【図７】本考案第一実施例の第一、第二コネクター未結合時図。
【図８】本考案第二実施例の立体説明図。
【図９】本考案第二実施例の第一、第二コネクター未結合時図。
【符号の説明】
【００２２】
１、７  ネックレス
１１  第一端
１２  第二端
２、８  コネクター
２１、８１  第一コネクター
２１１  雄ネジ
２２、８２  第二コネクター
２２１  スリーブ
３、９  マイク
４   本体
４１  アクセサリー部
４１１  第一表面
４１２  第二表面
４２  イヤホン部
４３、４４  ボタン
４５  電源ボタン
４６  インジケーターライト
４７  第三コネクター
４８  イヤホンスピーカ
５  ケーブル
６  使用者
８１１  第一リング
８２１  第リング
８２２  可動部
【図１】
0003130901.tif 000003
【図２】
0003130901.tif 000004
【図３】
0003130901.tif 000005
【図４】
0003130901.tif 000006
【図５】
0003130901.tif 000007
【図６】
0003130901.tif 000008
【図７】
0003130901.tif 000009
【図８】
0003130901.tif 000010
【図９】
0003130901.tif 000011